(57)【要約】【課題】  画像付きラベルに多くの情報を掲載するために、このラベルが非常に大きくなったり、このラベルに表示する文字が小さくなって読みにくくなるということがなく、画像付きラベルから多くの情報を取得できるようにする。【解決手段】  画像付きラベル１において、ラベル基材１０に、画像情報表示部１１と、文字情報表示部１２と、内容説明コード及び／又はホームページへの接続コードを表示した２次元コード表示部１３とを設けるようにした。【選択図】  図１
2006047619.tif 000002
【特許請求の範囲】
【請求項１】
ラベル基材に、画像情報表示部と、文字情報表示部と、内容説明コード及び／又はホームページへの接続コードを表示した２次元コード表示部とを備えたことを特徴とする画像付きラベル。
【請求項２】
請求項１に記載した画像付きラベルにおいて、上記の画像情報表示部に表示される画像情報が写真であることを特徴とする画像付きラベル。
【請求項３】
請求項１又は請求項２に記載した画像付きラベルにおいて、上記の画像情報表示部に飲食品に関連する画像情報が表示され、上記の文字情報表示部に上記の飲食品に関連する簡単な文字情報が表示され、上記の２次元コード表示部に上記の飲食品に関連する詳細な内容説明コード及び／又は上記の飲食品に関連するホームページへの接続コードが表示されてなることを特徴とする画像付きラベル。
【請求項４】
請求項１〜請求項３に記載した画像付きラベルにおいて、上記の２次元コード表示部に表示される内容説明コード及び／又はホームページへの接続コードがカメラ付き携帯電話で読み取り可能なコードであることを特徴とする画像付きラベル。
【請求項５】
画像情報表示部に表示する画像情報を取得する工程と、
文字情報表示部に表示する簡単な文字情報を取得する工程と、
２次元コード表示部に表示する詳細な内容説明情報及び／又はホームページ関連情報からなるコード情報を取得する工程と、
取得した上記のコード情報に基づいて２次元コードを作成する工程と、
取得した上記の画像情報と、取得した上記の簡単な文字情報と、作成した上記の２次元コードとを用いて、画像付きラベルの構成にレイアウトする工程と、
レイアウトした画像付きラベルのレイアウト結果を出力する工程と、
出力された上記の画像付きラベルのレイアウト結果に対して承認を示す承認情報を受け付ける工程と、
承認された上記の画像付きラベルのレイアウト結果をラベル基材に印刷する工程とを有することを特徴とする画像付きラベルの作成システム。
【請求項６】
請求項５に記載した画像付きラベルの作成システムにおいて、上記の画像付きラベルに表示した各種の情報及び／又はこれらの情報に関連する詳細な情報を、上記の２次元コードの読み取りにより接続されるホームページに掲載する工程を備えたことを特徴とする画像付きラベルの作成システム。
【発明の詳細な説明】
【技術分野】
【０００１】
この発明は、画像付きラベル及び画像付きラベルの作成システムに係り、特に飲食品等の物品に貼付又は添付させる画像付きラベル及びこのような画像付きラベルの作成システムに関するものである。
【背景技術】
【０００２】
近年、消費者などにおいて、飲食品等の物品の品質や安全性等を確認できるようにするため、飲食品等の物品に対して生産者、産地、原材料、生産方法等の様々な情報を表示することが強く要望されるようになっている。
【０００３】
そして、近年においては、飲食品を包装する包装紙に生産者の顔写真や名前及び生産者からのコメントを印刷したものが提案されている（例えば、特許文献１参照。）。
【０００４】
しかし、このように包装紙に生産者の顔写真や名前及び生産者からのコメントを印刷して包装することは、非常に面倒でコストが高くつく等の問題があった。
【０００５】
また、最近においては、消費者に食品生産者と消費者の心理的距離を縮める役割や、食品が生産された生産地の季節感を消費者に伝える役割を果たすために、食品生産者又は生産地に関連する写真と、生産者名と、出荷時期における食品生産者からのコメントとを印刷した写真付きラベルを作成し、この写真付きラベルを食品に添付又は貼付させることも提案されている。
【０００６】
しかし、ラベルに表示できる情報量には限界があり、食品生産者からのコメント等の多くの情報を表示するためには、ラベルが非常に大きくなったり、ラベルに表示する文字が小さくなって読みにくくなる等の問題があった。
【特許文献１】登録実用新案第３０５３９４６号公報
【特許文献２】特開２００４−１８４８１８号公報
【発明の開示】
【発明が解決しようとする課題】
【０００７】
この発明は、上記のような写真付きラベル等の画像付きラベルにおける問題を解決することを課題とするものであり、画像付きラベルから多くの情報を取得できるようにし、特に、飲食品に対して、生産者、産地、原材料、生産方法、生産者のコメント等の様々な多くの情報を、消費者等において簡単に取得できるようにすることを課題とするものである。
【課題を解決するための手段】
【０００８】
この発明における画像付きラベルにおいては、上記のような課題を解決するため、ラベル基材に、画像情報表示部と、文字情報表示部と、内容説明コード及び／又はホームページへの接続コードを表示した２次元コード表示部とを備えるようにした。
【０００９】
ここで、上記の画像付きラベルの画像情報表示部に表示させる画像情報としては、写真やキャラクター画像等の各種の画像を表示させることができる。
【００１０】
また、上記の画像付きラベルの用途は特に限定されず、例えば、飲食品に貼付又は添付させるラベルや、結婚式等の各種のイベントにおける記念品、贈呈品、引出物等の物品に貼付又は添付させるラベルや、キャラクター商品に貼付又は添付させるラベル等として用いることができる。なお、上記の画像付きラベルは、飲食品、記念品、贈呈品、引出物、商品等の物品に直接に貼付又は添付させる他、間接的に、例えば、上記の物品を収容させた容器や、上記の物品を包装させた包装紙等に貼付又は添付させることもできる。
【００１１】
そして、上記の画像付きラベルを飲食品に貼付又は添付させるラベルとして用いる場合には、例えば、上記の画像情報表示部に飲食品に関連する画像情報を表示させ、上記の文字情報表示部に上記の飲食品に関連する簡単な文字情報を表示させ、上記の２次元コード表示部に上記の飲食品に関連する詳細な内容説明コード及び／又は上記の飲食品に関連するホームページへの接続コードを表示させるようにする。
【００１２】
また、この発明における画像付きラベルにおいて、上記の２次元コード表示部に表示される内容説明コード及び／又はホームページへの接続コードは、カメラ付き携帯電話で読み取り可能なコードであることが好ましい。
【００１３】
また、この発明における画像付きラベルを作成する画像付きラベルの作成システムにおいては、
画像情報表示部に表示する画像情報を取得する工程と、
文字情報表示部に表示する簡単な文字情報を取得する工程と、
２次元コード表示部に表示する詳細な内容説明情報及び／又はホームページ関連情報からなるコード情報を取得する工程と、
取得した上記のコード情報に基づいて２次元コードを作成する工程と、
取得した上記の画像情報と、取得した上記の簡単な文字情報と、作成した上記の２次元コードとを用いて、画像付きラベルの構成にレイアウトする工程と、
レイアウトした画像付きラベルのレイアウト結果を出力する工程と、
出力された上記の画像付きラベルのレイアウト結果に対して承認を示す承認情報を受け付ける工程と、
承認された上記の画像付きラベルのレイアウト結果をラベル基材に印刷する工程とを行うようにする。
【００１４】
また、上記の画像付きラベルの作成システムにおいては、上記の画像付きラベルに表示した各種の情報及び／又はこれらの情報に関連する詳細な情報を、上記の２次元コードの読み取りにより接続されるホームページに掲載する工程を行うことが好ましい。
【発明の効果】
【００１５】
この発明における画像付きラベルにおいては、上記のように画像情報表示部と文字情報表示部との他に２次元コード表示部を設け、この２次元コード表示部に内容説明コード及び／又はホームページへの接続コードを表示するようにしたため、この２次元コード表示部に表示した内容説明コードを読み取ることにより、より詳細な情報を取得することができるようになり、また２次元コード表示部に表示したホームページへの接続コードを読み取って、ホームページに接続させることにより、さらに多くの情報を取得することができるようになる。
【００１６】
この結果、この画像付きラベルにおいては、上記の文字情報表示部に表示する情報を少なくしても、小さな面積の部分にコード表示された２次元コード表示部からより多くの情報を取得することができるようになり、多くの情報を表示するためには、ラベルが非常に大きくなったり、ラベルに表示する文字が小さくなって読みにくくなるということもなくなる。
【００１７】
また、上記の２次元コード表示部に表示する内容説明コード及び／又はホームページへの接続コードを、カメラ付き携帯電話で読み取り可能なコードで構成すると、カメラ付き携帯電話を所持している多くの消費者等においても、内容説明コードを読み取って、より詳細な情報を簡単に取得することができるようになり、またホームページへの接続コードを読み取り、ホームページに接続することによって、さらに多くの情報を取得することができるようになる。
【００１８】
また、この発明における上記のような画像付きラベルの作成システムによると、上記のような画像付きラベルの作成依頼者の意図に基づいて簡単かつ適切に作成することができるようになる。
【００１９】
また、この画像付きラベルの作成システムにおいて、画像付きラベルに表示した各種の情報及び／又はこれらの情報に関連する詳細な情報をホームページに掲載する工程を行うようにすると、画像付きラベルの作成と同時に、ホームページに画像付きラベルに表示した各種の情報と関連する様々な詳細な情報が掲載されるようになる。
【発明を実施するための最良の形態】
【００２０】
以下、この発明の実施形態に係る画像付きラベル及び画像付きラベルの作成システムを添付図面に基づいて具体的に説明する。なお、この発明に係る画像付きラベル及び画像付きラベルの作成システムは、特に下記の実施形態に示したものに限定されるものではなく、その要旨を変更しない範囲において適宜変更して実施できるものである。
【００２１】
この実施形態に係る画像付きラベル１においては、図１に示すように、四角形状になったラベル基材１０の表面に、画像情報を表示する１つの画像情報表示部１１と、文字情報を表示する２つの文字情報表示部１２と、内容説明コード及び／又はホームページへの接続コードを表示する１つの２次元コード表示部１３とを適当に配置させて設けるようにしている。
【００２２】
ここで、この実施形態に係る画像付きラベル１において、ラベル基材１０の形状、画像情報表示部１１や文字情報表示部１２等の数、画像情報表示部１１と文字情報表示部１２と２次元コード表示部１３との配置等については、ラベル作成依頼者の希望などに応じて適宜に選択することができる。また、２次元コード表示部１３を２以上に分割して表示することもできる。
【００２３】
そして、このような画像付きラベル１を飲食品等の物品に貼付又は添付させるにあたっては、例えば、図２に示すように、上記のラベル基材１０の裏面に接着層１４を設け、この接着層１４により画像付きラベル１を飲食品等の物品に貼付させるようにしたり、図３に示すように、上記のラベル基材１０に吊り下げ用の紐材１５を取り付け、この紐材１５により画像付きラベル１を飲食品等の物品に吊り下げるようにすることができる。なお、接着層１４を設けた画像付きラベル１において、接着層１４が粘着性である場合には、この画像付きラベル１が所定の物品に貼付されるまで、その接着層１４に剥離シート（図示せず）を仮着させておき、画像付きラベル１が誤って他の物品等に貼付されないようにしておくことが好ましい。
【００２４】
また、この実施形態に係る画像付きラベル１において、上記の画像情報表示部１１に表示する画像情報や、文字情報表示部１２に表示する文字情報や、２次元コード表示部１３に表示する内容説明コードの内容等は、この画像付きラベル１の使用目的や、画像付きラベル１を貼付又は添付させる飲食品の種類、ラベル作成依頼者の希望等に応じて適宜変更することができる。
【００２５】
ここで、上記のような画像付きラベル１を飲食品に貼付又は添付させる場合を例にして説明する。
【００２６】
このように飲食品に貼付又は添付させる画像付きラベル１の場合、その飲食品の生産者、産地、原材料、生産方法、生産者のコメント等の様々な情報を提供することが必要になる。
【００２７】
ここで、生産者とは、農作物等の製造者やその組合，魚介類等の捕獲者やその組合，家畜等の飼育者やその組合，飲食品の加工者やその組合，調理人等を含め、飲食品を消費者に向けて出荷するために生産する者のことである。
【００２８】
そして、上記の画像付きラベル１において、画像情報表示部１１における画像情報としては、例えば、これらの生産者の写真，生産地や捕獲場所の写真等を表示させることができる。
【００２９】
また、画像付きラベル１の文字情報表示部１２における文字情報としては、例えば、これらの生産者の氏名や住所、飲食品名や商標、飲食品の簡潔に表わされた特徴やコメント等を表示させることができる。
【００３０】
また、画像付きラベル１の２次元コード表示部１３に表示させる内容説明コードとしては、例えば、飲食品の生産にあたって生産者が注意した点、意図した点、配慮した点等のコメント、飲食品の生産に関連する他の様々な情報等を、２次元コード化させたものを表示させることができる。
【００３１】
なお、食の安心・安全の観点から、飲食品のトレーサビリティが確保されていることが重要である。
【００３２】
上記の画像付きラベル１においては、生産者の顔がわかる写真や生産者名等が掲載され、さらには２次元コードを読み取ったり、２次元コードからホームページに接続することによって生産者に関する情報や、飲食品の生産方法に関する情報等が得られるので、飲食品のトレーサビリティを確保することができる。
【００３３】
ここで、２次元コード表示部１３に表示させる２次元コードとしては、例えば、書き込める情報量が大きい（株）デンソーウェーブのＱＲコードを用いることが好ましい。また、発表されているその他の公知の様々な２次元コードを用いることもでき、例えば、ＰＤＦ４１７（Ｓｙｍｂｏｌ社），ＤａｔａＭａｔｒｉｘ（ＣＩ  Ｍａｔｒｉｘ社），Ｍａｘｉ  Ｃｏｄｅ（ＵＰＳ社）等を用いることができる。
【００３４】
また、近年においては、２次元コードのコード内容をカメラ付き携帯電話で読み取ることができるようになったものが存在するため、カメラ付き携帯電話で読み取ることができる２次元コードを用いて、内容説明コードやホームページへの接続コードを作成することが好ましい。
【００３５】
そして、このような２次元コードを用いて作成した内容説明コードやホームページへの接続コードを２次元コード表示部１３に表示させると、カメラ付き携帯電話を所持している多くの消費者等が内容説明コードを読み取って、より詳細な情報を簡単に取得できるようになり、さらにホームページへの接続コードを読み取り、ホームページに接続することによって、ホームページに掲載されているさらに多くの情報を取得できるようになる。
【００３６】
ここで、上記のように接続されるホームページに掲載する事項としては、上記の飲食品に関連するさらに詳細な様々な情報、例えば、農作物や魚介類等の食品材料の場合には、その食品材料を用いた調理方法のレシピ、おいしい食べ方等を掲載させることができ、さらに食品材料の産地等に関連する情報やイベント、また今後出荷される飲食品についての情報等も合わせて掲載することができる。
【００３７】
さらに、上記のホームページに掲示板を設けておき、消費者等がこの飲食品に関する意見や感想を記載できるようにしたり、ホームページに掲載されていない他の調理方法のような情報等を記載できるようにしておくこともできる。
【００３８】
また、上記のような画像付きラベル１を結婚式等の各種のイベントにおける記念品、贈呈品、引出物等に貼付又は添付させる場合には、画像情報表示部１１における画像情報としては、例えば、新郎新婦の写真やイベント会場の写真等を表示させることができ、また文字情報表示部１２における文字情報としては、例えば、新郎新婦の氏名や住所、イベントの名称、簡単な挨拶文等を表示させることができ、また２次元コード表示部１３に表示させる内容説明コードとしては、例えば、お礼文等を２次元コード化させたものを表示させることができる。また、このように画像付きラベル１を使用する場合において、ホームページに掲載する事項としては、例えば、新郎新婦の出逢い等の情報、追加情報として新婚旅行の写真、今後のイベント企画の情報等を掲載することができる。
【００３９】
また、上記のような画像付きラベル１をキャラクター商品に貼付又は添付させる場合には、画像情報表示部１１における画像情報としては、例えば、キャラクターの画像等を表示させることができ、また文字情報表示部１２における文字情報としては、例えば、商品名や商標、製造元や販売元、商品に関連する注意事項等を表示させることができ、また２次元コード表示部１３に表示させる内容説明コードとしては、例えば、商品の使用方法等を２次元コード化させたものを表示させることができる。また、このように画像付きラベル１を使用する場合において、ホームページに掲載する事項としては、例えば、キャラクターの詳細な情報、画像付きラベル１が貼付又は添付さされた商品と関連する商品や商品群に関する情報、今後の新商品の情報等を掲載することができる。
【００４０】
次に、上記のような画像付きラベル１を作成するシステムについて具体的に説明する。
【００４１】
ここで、図４に画像付きラベル１を作成するシステムのブロック図を示す。
【００４２】
この図において、情報入力手段２０は、画像情報表示部１１に表示するための画像情報、文字情報表示部１２に表示するための文字情報、２次元コード表示部１３に表示させる２次元コードを作成するための詳細な内容説明情報及び／又はホームページ関連情報からなるコード情報等を入力するものであり、このような情報入力手段２０としては、例えば、スキャナ、キーボード、バーコードリーダ、磁気テープ装置、磁気ディスクドライブ、光ディスク装置、磁気光ディスク装置、デジタルカメラ、音声入力装置、画像入力装置等の入力装置の他に、ネットワークを介して外部から入力するものであってもよい。
【００４３】
また、制御部３０は、プログラムメモリ３１に格納された各種のプログラムに基づいて各種の処理を行うものであり、マイコン等で構成される。
【００４４】
また、メモリ部４０は各種の情報を格納する部分であり、このメモリ部４０には、画像情報表示部１１に表示するための画像情報を格納する画像情報メモリ４１、文字情報表示部１２に表示するための文字情報を格納する文字情報メモリ４２、２次元コード表示部１３に表示する２次元コードを作成するための詳細な内容説明情報及び／又はホームページ関連情報からなるコード情報を格納するコード情報メモリ４３、コード情報メモリ４３に格納されたコード情報に基づいて作成された２次元コードを格納する２次元コードメモリ４４、上記の画像情報メモリ４１に格納された画像情報と文字情報メモリ４２に格納された文字情報と２次元コードメモリ４４に格納された２次元コードに基づいて作成した画像付きラベルフォームを格納する画像付きラベルメモリ４５、ホームページに表示する情報等のその他の情報を格納するその他の情報メモリ４６等を備えている。
【００４５】
そして、上記のように各種の情報が入力され、処理され、格納されることによって、各種の情報が取得されることになる。
【００４６】
また、情報出力手段５０はディスプレイ等で構成され、上記のようにして作成した画像付きラベルフォームの承認を得るために作成した画像付きラベルフォームを表示したり、画像付きラベル１の作成において必要とされる各種の情報や要求等を表示したりするものである。
【００４７】
また、ラベル出力手段６０はプリンタ等で構成され、上記の承認された画像付きラベルフォームをラベル基材１０に印刷して、画像付きラベル１を出力するものである。
【００４８】
また、ホームページ７０は上記の２次元コードの読み取りにより接続されるものであり、このホームページ７０には上記の画像付きラベル１に表示した各種の情報及び／又はこれらの情報に関連する詳細な情報を掲載させるようにする。
【００４９】
そして、上記のようなシステムにより画像付きラベル１を作成する工程を上記の図４及び図５に示すフローチャートに基づいて説明する。
【００５０】
先ず、上記の情報入力手段２０によって、画像情報表示部１１に表示するための画像情報、文字情報表示部１２に表示するための文字情報、２次元コード表示部１３に表示させる２次元コードを作成するための詳細な内容説明情報及び／又はホームページ関連情報からなるコード情報、その他の情報等を入力する（ＳＴ１０）。
【００５１】
そして、プログラムメモリ３１に格納された分類用のプログラムに基づき、制御部３０において、上記のように入力された各情報を対応するメモリ部４０、すなわちメモリ部４０の画像情報メモリ４１、文字情報メモリ４２、コード情報メモリ４３、その他の情報メモリ４６に格納する（ＳＴ１１）。
【００５２】
次に、このようにプログラムメモリ３１に格納された情報確認用のプログラムに基づき、制御部３０において、各メモリ４１，４２，４３に画像付きラベル１を作成するのに必要な情報が格納されているかを確認する。また、ホームページ７０に掲載を行う場合には、その他の情報メモリ４６についても、必要な情報が格納されているかを確認する（ＳＴ１２）。
【００５３】
そして、情報が不足している場合には不足情報の入力を要求し（ＳＴ１３）、上記の情報入力手段２０によって不足する情報を入力する。なお、不足情報の入力の要求は、上記の情報出力手段５０に表示させるようにする。
【００５４】
一方、画像付きラベル１を作成するのに必要な情報が格納されている場合には、プログラムメモリ３１に格納された２次元コード作成用のプログラムに従い、制御部３０において、上記のコード情報メモリ４３に格納されたコード情報に基づき２次元コードを作成し、このように作成した２次元コードをメモリ部４０における２次元コードメモリ４４に格納する（ＳＴ１４）。
【００５５】
次に、上記のプログラムメモリ３１に格納された画像付きラベル作成用のプログラムに基づき、上記の制御部３０において、上記の画像情報メモリ４１、文字情報メモリ４２、２次元コードメモリ４４に格納された各情報を取り出し、このように取り出した情報をレイアウトして画像付きラベルフォームを作成する（ＳＴ１５）。
【００５６】
そして、このように作成した画像付きラベルフォームをそのまま又は一旦画像付きラベルメモリ４５に格納した後、上記の制御部３０から情報出力手段５０に出力し（ＳＴ１６）、このように情報出力手段５０に出力した画像付きラベルフォームの承認を求める（ＳＴ１７）。
【００５７】
ここで、画像付きラベルフォームの承認が得られない場合には修正内容を要求する（ＳＴ１８）。なお、修正内容の要求は、上記の情報出力手段５０に表示させるようにする。
【００５８】
そして、提供された修正内容がメモリ部４０に格納された情報を変更するものか否かを判断し（ＳＴ１９）、格納された情報を変更する場合には、上記のＳＴ１０に戻り、上記の情報入力手段２０によって変更させる情報を入力する。一方、提供された修正内容がメモリ部４０に格納された情報を変更するものでなく、例えば、レイアウト等の形式についての場合には、上記のＳＴ１５に戻って修正内容に基づいた修正を行い、再度画像付きラベルフォームを作成する。
【００５９】
そして、情報出力手段５０に出力した画像付きラベルフォームの承認が得られた場合には、承認前の画像付きラベルフォームを書き換えて、又は承認前の画像付きラベルフォームを残したまま、承認された画像付きラベルフォームを画像付きラベルメモリ４５に格納する（ＳＴ２０）。
【００６０】
次に、上記の制御部３０において、このように画像付きラベルメモリ４６に格納された画像付きラベルフォームを取り出し、上記のプログラムメモリ３１に格納された印刷用のプログラムに基づき、ラベル出力手段６０により画像付きラベルフォームをラベル基材１０に印刷して（ＳＴ２１）、画像付きラベル１を作成する。
【００６１】
なお、画像付きラベル１を作成する工程は、特に上記のような工程のものに限定されるものではない。
【００６２】
また、上記のようにして画像付きラベル１を作成するのと合わせて、画像付きラベル１に表示した各種の情報及び／又はこれらの情報に関連する詳細な情報を、上記の２次元コードの読み取りにより接続されるホームページ７０に掲載させることもできる。
【００６３】
ここで、画像付きラベル１に表示した各種の情報及び／又はこれらの情報に関連する詳細な情報をホームページ７０に掲載させるにあたっては、プログラムメモリ３１に格納されたホームページ用のプログラムに基づき、上記の制御部３０において、上記の画像情報メモリ４１、文字情報メモリ４２、コード情報メモリ４３、その他の情報メモリ４６に格納された適当な情報を選択して取り出し、このように取り出した情報をホームページ用にレイアウトして、ホームページ７０に掲載させるようにする。
【図面の簡単な説明】
【００６４】
【図１】この発明の一実施形態に係る画像付きラベルを示した概略平面図である。
【図２】同実施形態に係る画像付きラベルにおいて、ラベル基材の裏面に接着層を設けた状態を示した概略側面図である。
【図３】同実施形態に係る画像付きラベルにおいて、ラベル基材に吊り下げ用の紐材を取り付けた状態を示した概略平面図である。
【図４】この発明の実施形態に係る画像付きラベルを作成するシステムを示したブロック図である。
【図５】この発明の実施形態に係る画像付きラベルを作成する工程を示したフローチャートである。
【符号の説明】
【００６５】
１  画像付きラベル
１０  ラベル基材
１１  画像情報表示部
１２  文字情報表示部
１３  ２次元コード表示部
１４  接着層
１５  紐材
２０  情報入力手段
３０  制御部
３１  プログラムメモリ
４０  メモリ部
４１  画像情報メモリ
４２  文字情報メモリ
４３  コード情報メモリ
４４  ２次元コード情報メモリ
４５  画像付きラベルメモリ
４６  その他の情報メモリ
５０  情報出力手段
６０  ラベル出力手段
７０  ホームページ
【図１】
2006047619.tif 000003
【図２】
2006047619.tif 000004
【図３】
2006047619.tif 000005
【図４】
2006047619.tif 000006
【図５】
2006047619.tif 000007